(57)【特許請求の範囲】
【請求項１】
筒状に構成され、一端側で開口する軸方向に細長な中央孔と、この中央孔と外部とを連通して送気及び送液のための流路を構成する複数の連通孔とを有するスイッチ本体と、
前記中央孔内に配置される、当該中央孔の内周面に密着するシール材を前記軸方向に所定の間隔で複数配設した、一端部が突出部として前記開口から突出するスイッチ軸と、
前記中央孔に配置された前記スイッチ軸を開口方向に付勢する付勢部材と、を有し、
前記突出部を押し込み操作することにより、前記スイッチ軸を前記軸方向に段階的に移動させて、前記スイッチ軸に配設した前記シール材の前記中央孔の内周面との密着位置を変化させて、洗浄シースの先端部分にある噴出ノズル部に対して気体の供給と、気体及び液体の供給とを行う流体供給装置であって、
前記スイッチ軸は、
前記中央孔内に、前記突出部を押し込み操作することによって、単独で移動する第１のスイッチ軸と、
前記第１のスイッチ軸が移動した後、さらに、前記突出部を押し込み操作することによって、前記第１のスイッチ軸とともに移動する第２のスイッチ軸と、を備え、
前記第１のスイッチ軸による単独移動と、次の前記第１のスイッチ軸及び前記第２のスイッチ軸による移動とで、前記軸方向の段階的移動を行い、
前記複数の連通孔は、
前記スイッチ本体の前記軸方向に互いにずらした位置それぞれに送気用として形成された、入力側の第１の連通路及び出力側の第２の連通路と、
前記スイッチ本体の前記軸方向に互いにずらした位置それぞれに送液用として形成された、入力側の第３の連通路及び出力側の第４の連通路と、を備え、
前記第１のスイッチ軸による前記軸方向の単独移動によって、前記第１の連通路と前記第２の連通路とが連通したとき、前記噴出ノズル部に気体のみを供給する流路を形成し、次の前記第１のスイッチ軸及び前記第２のスイッチ軸による前記軸方向の移動によって、前記第１の連通路と前記第２の連通路との連通を維持した状態で前記第３の連通路と前記第４の連通路とが連通したとき、前記噴出ノズル部に気体及び液体を供給する流路を形成し、
前記付勢部材は、
前記第１のスイッチ軸を前記開口方向に付勢する第１の付勢部材と、
前記第２のスイッチ軸を前記開口方向に付勢する第２の付勢部材と、を備え、
前記突出部を操作しない無操作時において、前記第１の付勢部材によって付勢された前記第１のスイッチ軸と、前記第２の付勢部材によって付勢された前記第２のスイッチ軸との間に所定の隙間が形成され、
前記突出部と前記第１のスイッチ軸とが前記第１の付勢部材を介在して一体に構成されることにより、前記第１のスイッチ軸が前記スイッチ本体の前記中央孔内にスライド自在に配置され、
下蓋と前記スイッチ本体とが前記第２の付勢部材を介在して一体に構成されることにより、前記第２のスイッチ軸が前記スイッチ本体の前記中央孔内にスライド自在に配置され、
前記突出部を押し込むと、前記第１のスイッチ軸が前記第１の付勢部材の弾性力に抗して押し下げられていき、前記第１のスイッチ軸の下端が前記第２のスイッチ軸の上端面に当接したとき、前記第１の連通孔と前記第２の連通孔とが連通して前記噴出ノズル部が送気状態になり、
前記送気状態から前記突出部をさらに押し込むと、前記第１のスイッチ軸及び前記第２のスイッチ軸が前記第１の付勢部材及び前記第２の付勢部材の弾性力に抗して押し下げられていき、前記突出部が前記スイッチ本体の下端面に当接したとき、前記第１の連通孔と前記第２の連通孔とが連通した状態を維持しかつ前記第３の連通孔と前記第４の連通孔とが連通して前記噴出ノズル部が噴霧状態になり、
前記突出部の押し込み操作を解除し送気及び送液状態から無操作状態へ移行したとき、前記第１及び第２のスイッチ軸が前記第１及び第２の付勢部材の付勢力で復帰移動することにより、前記流路内における圧力を変化させ、前記噴出ノズル部の周辺部に残っている残液を前記流路内に引き込む一方、その残液の引き込み後、送気を行うために前記突出部を押し込み操作したとき、前記第１のスイッチ軸が前記第２のスイッチ軸との前記所定の隙間を単独移動するのみで前記第２のスイッチ軸は停止状態であり、引き込んだ残液が前記流路内から前記噴出ノズル部へ押し出されないことを特徴とする流体供給装置。
【請求項２】
観察手段を備えた内視鏡と、
前記内視鏡の挿入部及び操作部が着脱自在に挿入される洗浄シースを備えた流体供給装置であって、筒状に構成され、一端側で開口する軸方向に細長な中央孔と、この中央孔と外部とを連通して送気及び送液のための流路を構成する複数の連通孔とを有するスイッチ本体と、前記中央孔内に配置される、当該中央孔の内周面に密着するシール材を前記軸方向に所定の間隔で複数配設した、一端部が突出部として前記開口から突出するスイッチ軸と、前記中央孔に配置された前記スイッチ軸を開口方向に付勢する付勢部材と、を有し、前記突出部を押し込み操作することにより、前記スイッチ軸を前記軸方向に段階的に移動させて、前記スイッチ軸に配設した前記シール材の前記中央孔の内周面との密着位置を変化させて、前記洗浄シースの先端部分にある噴出ノズル部に対して気体の供給と、気体及び液体の供給とを行う流体供給装置であって、前記スイッチ軸は、前記中央孔内に、前記突出部を押し込み操作することによって、単独で移動する第１のスイッチ軸と、前記第１のスイッチ軸が移動した後、さらに、前記突出部を押し込み操作することによって、前記第１のスイッチ軸とともに移動する第２のスイッチ軸と、を備え、前記第１のスイッチ軸による単独移動と、次の前記第１のスイッチ軸及び前記第２のスイッチ軸による移動とで、前記軸方向の段階的移動を行い、前記複数の連通孔は、前記スイッチ本体の前記軸方向に互いにずらした位置それぞれに送気用として形成された、入力側の第１の連通路及び出力側の第２の連通路と、前記スイッチ本体の前記軸方向に互いにずらした位置それぞれに送液用として形成された、入力側の第３の連通路及び出力側の第４の連通路と、を備え、前記第１のスイッチ軸による前記軸方向の単独移動によって、前記第１の連通路と前記第２の連通路とが連通したとき、前記噴出ノズル部に気体のみを供給する流路を形成し、次の前記第１のスイッチ軸及び前記第２のスイッチ軸による前記軸方向の移動によって、前記第１の連通路と前記第２の連通路との連通を維持した状態で前記第３の連通路と前記第４の連通路とが連通したとき、前記噴出ノズル部に気体及び液体を供給する流路を形成し、前記付勢部材は、前記第１のスイッチ軸を前記開口方向に付勢する第１の付勢部材と、前記第２のスイッチ軸を前記開口方向に付勢する第２の付勢部材と、を備え、前記突出部を操作しない無操作時において、前記第１の付勢部材によって付勢された前記第１のスイッチ軸と、前記第２の付勢部材によって付勢された前記第２のスイッチ軸との間に所定の隙間が形成され、前記突出部と前記第１のスイッチ軸とが前記第１の付勢部材を介在して一体に構成されることにより、前記第１のスイッチ軸が前記スイッチ本体の前記中央孔内にスライド自在に配置され、下蓋と前記スイッチ本体とが前記第２の付勢部材を介在して一体に構成されることにより、前記第２のスイッチ軸が前記スイッチ本体の前記中央孔内にスライド自在に配置され、前記突出部を押し込むと、前記第１のスイッチ軸が前記第１の付勢部材の弾性力に抗して押し下げられていき、前記第１のスイッチ軸の下端が前記第２のスイッチ軸の上端面に当接したとき、前記第１の連通孔と前記第２の連通孔とが連通して前記噴出ノズル部が送気状態になり、前記送気状態から前記突出部をさらに押し込むと、前記第１のスイッチ軸及び前記第２のスイッチ軸が前記第１の付勢部材及び前記第２の付勢部材の弾性力に抗して押し下げられていき、前記突出部が前記スイッチ本体の下端面に当接したとき、前記第１の連通孔と前記第２の連通孔とが連通した状態を維持しかつ前記第３の連通孔と前記第４の連通孔とが連通して前記噴出ノズル部が噴霧状態になり、前記突出部の押し込み操作を解除し送気及び送液状態から無操作状態へ移行したとき、前記第１及び第２のスイッチ軸が前記第１及び第２の付勢部材の付勢力で復帰移動することにより、前記流路内における圧力を変化させ、前記噴出ノズル部の周辺部に残っている残液を前記流路内に引き込む一方、その残液の引き込み後、送気を行うために前記突出部を押し込み操作したとき、前記第１のスイッチ軸が前記第２のスイッチ軸との前記所定の隙間を単独移動するのみで前記第２のスイッチ軸は停止状態であり、引き込んだ残液が前記流路内から前記噴出ノズル部へ押し出されない流体供給装置と、
を具備したことを特徴とする内視鏡装置。
【発明の詳細な説明】
【技術分野】
【０００１】
本発明は、流体を管路の先端側に供給する流体供給装置及び内視鏡装置に関する。
【背景技術】
【０００２】
近年、内視鏡は、医療用分野等において広く用いられるようになった。また、医療機器としての内視鏡は、体腔内に挿入される挿入部内に、水等の流体を通す管路が設けられており、手元側から管路の先端側に流体を供給する流体供給装置が設けられている。このような流体供給装置においては、流体の供給及び供給停止の制御動作を行う流体制御手段も設けられる。  
流体供給装置として、流体を管路の先端部に供給すると共に、流体の供給を停止した場合、先端部に供給され、先端部周辺などに残っている流体を速やかに除去する機能が求められる場合がある。
【０００３】
これに関連する従来例として例えば、特開２００６−１８７５４７号公報には、処置具チャンネルにより吸引動作を行いながら、前方送水チャンネルの開口部から蒸留水などの液体を噴出する構成が開示されている。  
また、特開２０００−２７９３７０号公報には、加圧エア噴出口から加圧エアを噴出させる際に、また洗浄水噴出口から洗浄水を噴出した後に、処置具挿通チャンネル内に負の吸引力を作用させる構成が開示されている。  
この公報の従来例においては、内視鏡先端部においてエアまたは洗浄水等の流体を噴出した場合に、噴出する噴出口とは別の処置具チャンネルから吸引動作を行う構成となっている。
【特許文献１】特開２００６−１８７５４７号公報
【特許文献２】特開２０００−２７９３７０号公報
【発明の概要】
【発明が解決しようとする課題】
【０００４】
上記特開２０００−２７９３７０号公報においては、洗浄水噴出口から洗浄水を噴出した後に、この洗浄水を噴出した管路とは別の管路により流体の吸引を行うため、流体を吸引するために２本の管路が必要になってしまう。  
また、この場合には、洗浄水を噴出して、その洗浄水の噴出を停止した場合、別の管路で、洗浄水を吸引させることが必要となるため、別の管路の機能が制約されてしまう欠点と、その別の管路が他の目的で使用されている場合には吸引させることが困難になる。  
具体的には、処置具挿通チャンネルに処置具を挿通して使用していると、洗浄水の噴出を停止した場合、この処置具挿通チャンネルを吸引に使用することが困難になる。  
このため、同じ管路により流体の供給と、その流体の引き込みとを兼用して行える装置を実現できると、より有効なものとなる。  
本発明は上述した点に鑑みてなされたもので、同じ管路により流体の供給と引き込みとを兼用して行える流体供給装置及び内視鏡装置を提供することを目的とする。
【課題を解決するための手段】
【０００５】
本発明の一態様の流体供給装置は、筒状に構成され、一端側で開口する軸方向に細長な中央孔と、この中央孔と外部とを連通して送気及び送液のための流路を構成する複数の連通孔とを有するスイッチ本体と、前記中央孔内に配置される、当該中央孔の内周面に密着するシール材を前記軸方向に所定の間隔で複数配設した、一端部が突出部として前記開口から突出するスイッチ軸と、前記中央孔に配置された前記スイッチ軸を開口方向に付勢する付勢部材と、を有し、前記突出部を押し込み操作することにより、前記スイッチ軸を前記軸方向に段階的に移動させて、前記スイッチ軸に配設した前記シール材の前記中央孔の内周面との密着位置を変化させて、洗浄シースの先端部分にある噴出ノズル部に対して気体の供給と、気体及び液体の供給とを行う流体供給装置であって、前記スイッチ軸は、前記中央孔内に、前記突出部を押し込み操作することによって、単独で移動する第１のスイッチ軸と、前記第１のスイッチ軸が移動した後、さらに、前記突出部を押し込み操作することによって、前記第１のスイッチ軸とともに移動する第２のスイッチ軸と、を備え、前記第１のスイッチ軸による単独移動と、次の前記第１のスイッチ軸及び前記第２のスイッチ軸による移動とで、前記軸方向の段階的移動を行い、前記複数の連通孔は、前記スイッチ本体の前記軸方向に互いにずらした位置それぞれに送気用として形成された、入力側の第１の連通路及び出力側の第２の連通路と、前記スイッチ本体の前記軸方向に互いにずらした位置それぞれに送液用として形成された、入力側の第３の連通路及び出力側の第４の連通路と、を備え、前記第１のスイッチ軸による前記軸方向の単独移動によって、前記第１の連通路と前記第２の連通路とが連通したとき、前記噴出ノズル部に気体のみを供給する流路を形成し、次の前記第１のスイッチ軸及び前記第２のスイッチ軸による前記軸方向の移動によって、前記第１の連通路と前記第２の連通路との連通を維持した状態で前記第３の連通路と前記第４の連通路とが連通したとき、前記噴出ノズル部に気体及び液体を供給する流路を形成し、前記付勢部材は、前記第１のスイッチ軸を前記開口方向に付勢する第１の付勢部材と、前記第２のスイッチ軸を前記開口方向に付勢する第２の付勢部材と、を備え、前記突出部を操作しない無操作時において、前記第１の付勢部材によって付勢された前記第１のスイッチ軸と、前記第２の付勢部材によって付勢された前記第２のスイッチ軸との間に所定の隙間が形成され、前記突出部と前記第１のスイッチ軸とが前記第１の付勢部材を介在して一体に構成されることにより、前記第１のスイッチ軸が前記スイッチ本体の前記中央孔内にスライド自在に配置され、下蓋と前記スイッチ本体とが前記第２の付勢部材を介在して一体に構成されることにより、前記第２のスイッチ軸が前記スイッチ本体の前記中央孔内にスライド自在に配置され、前記突出部を押し込むと、前記第１のスイッチ軸が前記第１の付勢部材の弾性力に抗して押し下げられていき、前記第１のスイッチ軸の下端が前記第２のスイッチ軸の上端面に当接したとき、前記第１の連通孔と前記第２の連通孔とが連通して前記噴出ノズル部が送気状態になり、前記送気状態から前記突出部をさらに押し込むと、前記第１のスイッチ軸及び前記第２のスイッチ軸が前記第１の付勢部材及び前記第２の付勢部材の弾性力に抗して押し下げられていき、前記突出部が前記スイッチ本体の下端面に当接したとき、前記第１の連通孔と前記第２の連通孔とが連通した状態を維持しかつ前記第３の連通孔と前記第４の連通孔とが連通して前記噴出ノズル部が噴霧状態になり、前記突出部の押し込み操作を解除し送気及び送液状態から無操作状態へ移行したとき、前記第１及び第２のスイッチ軸が前記第１及び第２の付勢部材の付勢力で復帰移動することにより、前記流路内における圧力を変化させ、前記噴出ノズル部の周辺部に残っている残液を前記流路内に引き込む一方、その残液の引き込み後、送気を行うために前記突出部を押し込み操作したとき、前記第１のスイッチ軸が前記第２のスイッチ軸との前記所定の隙間を単独移動するのみで前記第２のスイッチ軸は停止状態であり、引き込んだ残液が前記流路内から前記噴出ノズル部へ押し出されない。
【０００６】
本発明の一態様の内視鏡装置は、観察手段を備えた内視鏡と、前記内視鏡の挿入部及び操作部が着脱自在に挿入される洗浄シースを備えた流体供給装置であって、筒状に構成され、一端側で開口する軸方向に細長な中央孔と、この中央孔と外部とを連通して送気及び送液のための流路を構成する複数の連通孔とを有するスイッチ本体と、前記中央孔内に配置される、当該中央孔の内周面に密着するシール材を前記軸方向に所定の間隔で複数配設した、一端部が突出部として前記開口から突出するスイッチ軸と、前記中央孔に配置された前記スイッチ軸を開口方向に付勢する付勢部材と、を有し、前記突出部を押し込み操作することにより、前記スイッチ軸を前記軸方向に段階的に移動させて、前記スイッチ軸に配設した前記シール材の前記中央孔の内周面との密着位置を変化させて、前記洗浄シースの先端部分にある噴出ノズル部に対して気体の供給と、気体及び液体の供給とを行う流体供給装置であって、前記スイッチ軸は、前記中央孔内に、前記突出部を押し込み操作することによって、単独で移動する第１のスイッチ軸と、前記第１のスイッチ軸が移動した後、さらに、前記突出部を押し込み操作することによって、前記第１のスイッチ軸とともに移動する第２のスイッチ軸と、を備え、前記第１のスイッチ軸による単独移動と、次の前記第１のスイッチ軸及び前記第２のスイッチ軸による移動とで、前記軸方向の段階的移動を行い、前記複数の連通孔は、前記スイッチ本体の前記軸方向に互いにずらした位置それぞれに送気用として形成された、入力側の第１の連通路及び出力側の第２の連通路と、前記スイッチ本体の前記軸方向に互いにずらした位置それぞれに送液用として形成された、入力側の第３の連通路及び出力側の第４の連通路と、を備え、前記第１のスイッチ軸による前記軸方向の単独移動によって、前記第１の連通路と前記第２の連通路とが連通したとき、前記噴出ノズル部に気体のみを供給する流路を形成し、次の前記第１のスイッチ軸及び前記第２のスイッチ軸による前記軸方向の移動によって、前記第１の連通路と前記第２の連通路との連通を維持した状態で前記第３の連通路と前記第４の連通路とが連通したとき、前記噴出ノズル部に気体及び液体を供給する流路を形成し、前記付勢部材は、前記第１のスイッチ軸を前記開口方向に付勢する第１の付勢部材と、前記第２のスイッチ軸を前記開口方向に付勢する第２の付勢部材と、を備え、前記突出部を操作しない無操作時において、前記第１の付勢部材によって付勢された前記第１のスイッチ軸と、前記第２の付勢部材によって付勢された前記第２のスイッチ軸との間に所定の隙間が形成され、前記突出部と前記第１のスイッチ軸とが前記第１の付勢部材を介在して一体に構成されることにより、前記第１のスイッチ軸が前記スイッチ本体の前記中央孔内にスライド自在に配置され、下蓋と前記スイッチ本体とが前記第２の付勢部材を介在して一体に構成されることにより、前記第２のスイッチ軸が前記スイッチ本体の前記中央孔内にスライド自在に配置され、前記突出部を押し込むと、前記第１のスイッチ軸が前記第１の付勢部材の弾性力に抗して押し下げられていき、前記第１のスイッチ軸の下端が前記第２のスイッチ軸の上端面に当接したとき、前記第１の連通孔と前記第２の連通孔とが連通して前記噴出ノズル部が送気状態になり、前記送気状態から前記突出部をさらに押し込むと、前記第１のスイッチ軸及び前記第２のスイッチ軸が前記第１の付勢部材及び前記第２の付勢部材の弾性力に抗して押し下げられていき、前記突出部が前記スイッチ本体の下端面に当接したとき、前記第１の連通孔と前記第２の連通孔とが連通した状態を維持しかつ前記第３の連通孔と前記第４の連通孔とが連通して前記噴出ノズル部が噴霧状態になり、前記突出部の押し込み操作を解除し送気及び送液状態から無操作状態へ移行したとき、前記第１及び第２のスイッチ軸が前記第１及び第２の付勢部材の付勢力で復帰移動することにより、前記流路内における圧力を変化させ、前記噴出ノズル部の周辺部に残っている残液を前記流路内に引き込む一方、その残液の引き込み後、送気を行うために前記突出部を押し込み操作したとき、前記第１のスイッチ軸が前記第２のスイッチ軸との前記所定の隙間を単独移動するのみで前記第２のスイッチ軸は停止状態であり、引き込んだ残液が前記流路内から前記噴出ノズル部へ押し出されない流体供給装置と、を具備する。
【発明の効果】
【０００７】
本発明によれば、同じ管路により流体の供給と引き込みとを兼用して行える。
【図面の簡単な説明】
【０００８】
【図１】図１は本発明の実施例１を備えた内視鏡装置の全体構成を示す外観図。
【図２】図２は洗浄シースにおけるマルチルーメンチューブの断面図。
【図３Ａ】図３Ａは洗浄シースにおける先端部の噴霧時における縦断面図。
【図３Ｂ】図３Ｂは噴霧時の先端面を示す正面図。
【図３Ｃ】図３Ｃは噴霧時の内視鏡突き当て面を示す図。
【図４】図４は噴霧後の残水状態の例を示す図。
【図５Ａ】図５Ａは無操作時の状態における噴霧スイッチを説明する縦断面図。
【図５Ｂ】図５Ｂは送気時の状態における噴霧スイッチを説明する縦断面図。
【図５Ｃ】図５Ｃは噴霧時の状態における噴霧スイッチを説明する縦断面図。
【図６Ａ】図６Ａは図５Ｃの状態から図５Ｂに相当する送気時に移行した状態におけるスイッチ本体３２の底部側部分を拡大して示す図。
【図６Ｂ】図６Ｂは図５Ｃの状態から図５Ａに相当する無操作時に移行した状態におけるスイッチ本体３２の底部側部分を拡大して示す。
【図７】図７は噴霧状態から無操作時側に戻る過程で形成される引き込み作用で残水を除去する動作説明図。
【図８Ａ】図８Ａは本発明の実施例２における無操作時の状態における噴霧スイッチを説明する縦断面図。
【図８Ｂ】図８Ｂは送気時の状態における噴霧スイッチを説明する縦断面図。
【図８Ｃ】図８Ｃは噴霧時の状態における噴霧スイッチを説明する縦断面図。
【図９】図９は本発明の変形例における噴霧スイッチの構成及び組み立て手順を説明する説明図。
【図１０Ａ】図１０Ａは本発明の変形例における無操作時の状態における噴霧スイッチを説明する縦断面図。
【図１０Ｂ】図１０Ｂは送気時の状態における噴霧スイッチを説明する縦断面図。
【図１０Ｃ】図１０Ｃは噴霧時の状態における噴霧スイッチを説明する縦断面図。
【図１１】図１１は本発明の実施例３を備えた内視鏡装置の全体構成を示す外観図。
【図１２Ａ】図１２Ａは噴霧時の状態におけるスイッチ周辺部の内部構成を示す図。
【図１２Ｂ】図１２Ｂは噴霧時から無操作時への復帰する途中におけるスイッチ周辺部の内部構成を示す図。
【図１２Ｃ】図１２Ｃは無操作時におけるスイッチ周辺部の内部構成を示す図。
【図１３】図１３は本発明の実施例４を備えた内視鏡装置の全体構成を示す外観図。
【図１４Ａ】図１４Ａは噴霧時の状態におけるスイッチ周辺部の構成を示す動作説明図。
【図１４Ｂ】図１４Ｂは噴霧時から無操作時への復帰する途中におけるスイッチ周辺部の構成を示す動作説明図。
【図１４Ｃ】図１４Ｃは無操作時におけるスイッチ周辺部の構成を示す動作説明図。
【図１５】図１５は本発明の実施例５を備えた内視鏡装置の全体構成図。
【図１６】図１６は実施例５の変形例の処置具の構成を示す断面図。
【発明を実施するための形態】
【０００９】
以下、図面を参照して本発明の実施例を説明する。  
【実施例１】
【００１０】
図１から図７は本発明の実施例１に係り、図１は本発明の実施例１を備えた内視鏡装置の全体構成を示し、図２は洗浄シースにおけるマルチルーメンチューブの断面を示し、図３Ａは洗浄シースにおける先端部の噴霧時における縦断面、図３Ｂは噴霧時の先端面、図３Ｃは噴霧時の内視鏡突き当て面をそれぞれ示す。  
図４は噴霧後の残水状態の例を示し、図５Ａ、図５Ｂ、図５Ｃは、無操作時、送気時、噴霧時の各状態における噴霧スイッチの構造をそれぞれ示し、図６Ａ及び図６Ｂは噴霧状態から送気時及び無操作時に遷移した状態における噴霧スイッチの底部部分を示し、図７は噴霧状態から無操作時側に戻る過程で形成される引き込み作用で残水を除去する動作説明図を示す。
【００１１】
図１に示すように本発明の実施例１を備えた内視鏡装置１は、体内等に挿入される内視鏡２と、この内視鏡２が着脱自在に挿入される内視鏡用シースとしての例えば洗浄シース３とを有する。  
内視鏡２は、体内に挿入し易いように細長に形成された挿入部５と、この挿入部５の後端に拡径に形成された操作部６と、この操作部６から延出されたユニバーサルコード７とを有する。  
また、挿入部５は、その先端に設けられた先端部８と、この先端部８の後端に設けられた湾曲自在の湾曲部９とを有する。そして、術者は、操作部６を把持し、この操作部６の後端寄りの位置に設けられた湾曲ノブ１０を操作することにより、湾曲部９を湾曲することができる。
【００１２】
上記先端部８には、照明光を出射する照明窓と観察を行う観察窓とが設けられている。観察窓には対物レンズ１１が取り付けられており、この対物レンズ１１による光学像を観察することができるようにしている。  
洗浄シース３は、細長のマルチルーメンチューブ１２と、このマルチルーメンチューブ１２の先端に設けられた先端ノズル１３と、マルチルーメンチューブ１２の後端に設けられた取付部（又は固定部）１４と、この取付部１４から延出された送気チューブ１５及び送水チューブ１６の途中に設けられた噴霧スイッチ１７とを有する。  
なお、取付部１４は、その後端が開口し、内視鏡２が挿入されることにより、その操作部６がこの取付部１４に着脱自在に取付（装着）される。  
マルチルーメンチューブ１２は、図２に示すように略円筒形状の断面を有する。図２の例では、上部側よりも下部側が肉厚となる偏心した円筒形状であり、中央の中空部１９に内視鏡２の挿入部５が挿通される。
【００１３】
また、マルチルーメンチューブ１２には、下部側の左右両側に流体を供給可能とする管路、具体的には送気（気体の供給）を行う送気管路（送気ルーメン）２１と、送水（液体の供給）を行う送水管路（送水ルーメン）２２とが設けられている。  
これら送気管路２１と送水管路２２は、その後端の取付部１４において送気チューブ１５と送水チューブ１６とに接続される。  
そして、送気管路２１及び送水管路２２等を備えた洗浄シース３と、送気チューブ１５及び送水チューブ１６と、その後端がそれぞれ接続される図示しないポンプ及び送気源（空気）とポンプ及び送水源となる送水タンクと、送気チューブ１５及び送水チューブ１６の途中に設けられた噴霧スイッチ１７とより、送気送水を行う送気送水装置が（流体供給装置として）形成されている。
【００１４】
送気チューブ１５と送水チューブ１６の途中に設けられた噴霧スイッチ１７は、後述するように押し込み操作により流体の供給、供給停止の制御動作を行う流体制御手段として、の押し込みスイッチ（操作部）を備えている。より具体的には、この噴霧スイッチ１７は、２段の押し込み式のスイッチ構造を有し、後述するように１段目までの押し込みにより送気を行い、２段目までの押し込みにより送気及び送水を同時に行うことができる。  
また、マルチルーメンチューブ１２における送気管路２１と送水管路２２は、その先端部が先端ノズル１３における噴出ノズル部２３と接続されている。  
そして、ユーザが噴霧スイッチ１７を１段目までの押し込みによる送気の操作を行った場合には、送気管路２１を経て送気された空気が噴出ノズル部２３から対物レンズ１１の外表面に向けて噴出される。
【００１５】
また、ユーザが噴霧スイッチ１７を２段目までの押し込みによる送気及び送水の操作を行った場合には、送気管路２１及び送水管路２２を経て送気及び送水された両流体が噴出ノズル部２３により合流して霧状流体（単に霧ともいう）が対物レンズ１１の外表面に向けて噴出（噴霧）される。  
このように本実施例においては、噴霧スイッチ１７を押す操作により、気体による噴出と、霧による噴出（噴霧）とを簡単に切り替えて行うことができ、対物レンズ１１の外表面に付着した付着物を除去して、観察視野を確保し易いようにしている。  
図３Ａに示すように先端ノズル１３は、マルチルーメンチューブ１２の先端部の外周面に取り付けられた円環部２４を有する。
【００１６】
また、この円環部２４は、その先端が対物レンズ１１に対向する部分を切り欠いて屈曲され、内視鏡先端面が突き当てられる突き当て部２５と、この突き当て部２５の直前部分がさらに屈曲されたＣリング形状の天井板部２６とが形成されている。  
そして、これら突き当て部２５及び天井板部２６との間の狭い通路部分により、マルチルーメンチューブ１２の長手方向に送気及び送水された空気及び水とを直角方向に屈曲させ、さらに対物レンズ１１に噴出させる噴出ノズル部２３が形成されている。  
図３Ａは、洗浄シース３に内視鏡２を装着した状態、つまり内視鏡２の先端面が突き当て部２５に当接した装着状態において、送気及び送水して噴出ノズル部２３から噴霧させた様子を示す。
【００１７】
送気と送水とによる混合した霧が、対物レンズ１１の外表面に向けて下側の位置から上部側に向けて噴霧され、この噴霧により対物レンズ１１の外表面が清浄にされる。  
また、図３Ｂと図３Ｃは、先端ノズル１３を先端側から見た先端面と内視鏡突き当て面とを示す。図３Ｂと図３Ｃも噴霧させた時での使用例で示している。  
なお、図３Ａ〜図３Ｃのように噴霧した直後においては、図４に示すように噴出ノズル部２３周辺部には残水が残る場合がしばしばある。  
そして本実施例においては、流体供給装置としての送気送水装置を形成し、流体の供給及び供給停止（単に停止ともいう）の制御動作を行う流体制御手段を備えた噴霧スイッチ１７に、このような残水を引き込んで除去する流体引き込み手段としての残水引き込み手段を設けている。
【００１８】
より具体的には、以下に説明するように、このような残水を２段目までの押し込み操作による噴霧操作後の無操作時への復帰（或いは戻り動作）の際に、送水を行った同じ送水管路２２を用いて、その先端部からその残水を引き込んで除去する構造を形成している。
【００１９】
次に、流体制御手段、より具体的には送気送水制御手段を形成すると共に、残水引き込み手段が設けられた噴霧スイッチ１７の構成を説明する。  
図５Ａ、図５Ｂ、図５Ｃは、無操作時（初期状態時）、送気時、噴霧時の各状態における噴霧スイッチ１７をそれぞれ示している。  
噴霧スイッチ１７の本体を構成する円筒形状のスイッチ本体３２には、軸方向に細長な中央貫通孔３２ｔと、この貫通孔３２ｔと外部とを連通する複数の連通孔とが形成されている。複数の連通孔は、所定の位置に設けられており、それぞれ流体の入力側（流体の供給側）となる送気口金３３ａ及び送水口金３４ａと、流体の出力側となる送気口金３３ｂ、及び送水口金３４ｂとが設けられている。
【００２０】
なお、送気口金３３ａ及び送水口金３４ａは、ポンプ側の送気チューブ１５及び送水チューブ１６に接続される。また、送気口金３３ｂ、送水口金３４ｂは、取付部１４に接続される送気チューブ１５及び送水チューブ１６が接続される。  
送気口金３３ａ、送水口金３４ａがスイッチ本体３２に取り付けられた位置に対して、送気口金３３ｂ、送水口金３４ｂは、スイッチ本体３２の長手方向にずらした位置、図示の例では下方側となる位置に形成されている。なお、送気口金３３ａ、３３ｂの配置位置は、送気口金３３ｂが上方側となる位置に設けても良い。
【００２１】
また、スイッチ本体３２の中央貫通孔３２ｔ内にはスイッチ軸３６がスライド自在に設けられている。スイッチ軸３６の外径は、中央貫通孔３２ｔの内径に比べて所定寸法細径であり、スイッチ本体３２の内周面とスイッチ軸３６の外周面との間には流体を通過させるための隙間（クリアランス）が設けられる。スイッチ軸３６の外周面の所定位置には軸方向に複数の周溝が形成されており、それら周溝にはＯリング等のシール材３８ａ〜３８ｅが配設されている。シール材３８ａ〜３８ｅは、スイッチ本体３２の内周面に摺動可能に密着する。シール材３８ａ〜３８ｅは、連通して構成される前記隙間を複数の空間に分割している。
【００２２】
また、スイッチ本体３２は、その下端開口に、下蓋３２ａを螺合固定して筒部として構成される。下蓋３２ａをスイッチ本体下端に固定して、下方に移動したスイッチ軸３６を収納する空間３５が形成される。下蓋３２ａ部分には、Ｏリングなどシール材３８ｆが配置され、気密及び液密を保つ構造である。  
本実施例において空間３５は、以下に説明するように対物レンズ１１の観察視野の妨げになり易い残水を引き込んで、除去するための残水引き込み手段を構成している。  
また、スライド自在なスイッチ軸３６は、その上端がスイッチ本体３２から突出している。突出する上端部には、ユーザが押し込みによるスイッチ操作を行う押し込みスイッチ操作部（以下、単に押し込み部と略記）３６ａが、一体又は別体で設けられている。  
また、このスイッチ軸３６は、付勢部材である２重のバネ３７ａ、３７ｂによりスイッチ軸３６が上方に突出するように付勢されている。
【００２３】
なお、例えば内側のバネ３７ｂは、外側のバネ３７ａよりも小さい弾性力に設定されており、スイッチ軸３６の１段目までの押し込みの際には、内側のバネ３７ｂが収縮する。さらに、スイッチ軸３６を２段目まで押し込むときには、外側のバネ３７ａが収縮する。  
押し込みの操作を解除する、或いは押し込み操作が行われないとき、両バネ３７ａ、３７ｂの弾性力により、スイッチ軸３６は、無操作時の位置に復帰する。  
なお、シール材３８ａ〜３８ｅは、スイッチ軸３６の軸方向、つまり上下方向の移動に伴って移動する。
【００２４】
スイッチ軸３６には、水平方向に延びるリーク用のリーク用貫通孔４０ａと、スイッチ軸３６の軸方向に延び、このリーク用貫通孔４０ａと直角方向で連通するリーク孔４０ｂとが設けられている。このリーク用孔４０ｂは、スイッチ軸３６の上端、つまり押し込み部３６ａにおいて外部に開口している。  
図５Ａに示すように、無操作時においては、送気口金３３ａ、３３ｂ、送水口金３４ａ、３４ｂの各連通孔はそれぞれ異なる２つのシール材がスイッチ本体３２の内周面に密着して構成された異なる空間に連通している。このため、口金３３ａ、３４ａを介して流体が供給された場合に、供給された流体が口金３３ｂ、３４ｂから噴出すること、或いはリーク孔４０ｂから噴出することが防止されている。  
この状態においてユーザが押し込み部３６ａを押して、スイッチ軸３６を１段目まで押し込む（押し下げる）と、図５Ｂに示す送気時の状態になる。つまり、送水口金３４ａ、３４ｂとの間は、それぞれの空間によって流路が遮断された状態で維持されるが、送気口金３３ａと送気口金３３ｂとの間は、スイッチ軸３６の外周面とスイッチ本体３２の内周面とシール材３８ａ、３８ｂとで構成される空間を介して連通して流路となる。
【００２５】
従って、ユーザはスイッチ軸３６のリーク孔４０ｂを指で塞ぐ状態で押し込む操作をした場合には、外部に空気がリークすることを遮断でき、この場合には送気口金３３ａから送気される空気は送気口金３３ｂ側に送気される。  
そして、送気口金３３ｂ側に送気された空気は洗浄シース３の送気管路２１を通り、先端ノズル１３から噴出される。  
また、図５Ｂの状態からユーザが押し込み部３６ａをさらに押して、２段目までスイッチ軸３６を押し込むと、図５Ｃに示す噴霧時の状態になる。この状態においては、送気口金３３ａ、３３ｂ間は連通する状態を維持し、さらに送水口金３４ａ、３４ｂ間は、スイッチ軸３６の外周面とスイッチ本体３２の内周面とシール材３８ｄ、３８ｅとで構成される密閉空間を介して連通して流路となる。
【００２６】
この状態において、ユーザがリーク孔４０ｂを塞がないと、送水のみを行う状態となる。一方、ユーザがリーク孔４０ｂを塞ぐと、送気及び送水とを同時に行う状態となり、この場合には上述したように先端ノズル１３から霧を噴霧させることができる状態となる。
【００２７】
そして、この場合には、図３Ａ等に示すように噴出ノズル部２３から霧を対物レンズ１１の外表面に向けて噴霧し、この外表面を清浄な状態にすることができる。  
噴霧を停止した後においては、図４に示すように残水が残ってしまう場合があるが、本実施例においてはこの噴霧させる操作を停止する動作を流体制御動作として行うことにより、噴霧スイッチ１７が無操作時に復帰（戻り動作）時に、引き込みを行い、残水を除去する。
【００２８】
噴霧する動作を停止させる際、ユーザは、図５Ｃに示すように２段目まで押し込み部３６ａを押し込んだ状態から指を離す。すると、噴霧スイッチ１７は、両バネ３７ａ、３７ｂの弾性力により、無操作時、つまり図５Ａの状態に移行することになる。  
図５Ｃの状態から図５Ａの状態に向けて移行する際、まず、図５Ｃの状態からスイッチ軸３６が僅かな量だけ移動すると同時に、シール材３８ｅがスイッチ本体３２の内周面に密着する。すると、直ちに送水口金３４ａと送水口金３４ｂと間の流路が遮断される。  
この結果、空間３５は、送水口金３４ｂとだけ連通した状態になる。
【００２９】
このため、シール材３８ｅにより送水口金３４ａとの連通が遮断された後、スイッチ軸３６が移動するに従い、このスイッチ軸３６の円柱状部分の断面積と上方への移動量とを乗算した体積Ｖ分が送水口金３４ｂ側の流路（具体的には送水口金３４ｂに接続された送水チューブ１６による管路と、洗浄シース３の送水管路２２の管路）に対して負圧として作用する。  
言い換えれば、シール材３８ｅの移動によって空間３５と送水口金３４ｂとが連通状態になった後、スイッチ軸３６の移動（無操作時の状態に移行或いは復帰する）過程は、送水口金３４ｂ側の流路に負圧を作用させて、残水を空間３５内に引き込む（吸引する）引き込み力が発生（作用）する残水引き込み手段として作用する。
【００３０】
図６Ａ及び図６Ｂは、この様子を拡大して示す。なお、２点鎖線は、図５Ｃの状態におけるスイッチ軸３６の位置を示す。  
上記のように２点鎖線で示す状態から少し上方にスイッチ軸３６が移動して、空間３５が送水口金３４ａと遮断された状態になる。すると、空間３５は、送水口金３４ｂの流路側に対して負圧を発生して、送水口金３４ｂ側の流路を形成する送水管路２２の先端部の残水を引き込むようになる。  
この場合、この送水口金３４ｂ側の流路は、途中が外部から密閉されており、その先端の先端ノズル１３において開口している。  
つまり、送水口金３４ｂは、送水チューブ１６、マルチルーメンチューブ１２の送水管路２２を経てその先端が先端ノズル１３において開口している。
【００３１】
従って、マルチルーメンチューブ１２の送水管路２２内の途中の残水や、先端ノズル１３の開口部分に残水が有ると、上記体積Ｖに相当する負圧によりそれらの残水を引き込む。  
従って、図４に示すように残水が存在した場合、これらの残水は、送水管路２２の先端部からその内側に引き込まれて除去される。例えば図４に示すように残水が残った場合、図７に示すようにその残水を送水管路２２内に引き込んで除去することができる。  
そして、この引き込みによる除去により、対物レンズ１１の周辺、特に下部側の視野の一部が残水により影響されてしまうことを解消或いは低減できる。従って、本実施例によれば、内視鏡２の対物レンズ１１の観察視野を妨げる残水を引き込んで除去でき、良好な観察視野を確保できる。
【００３２】
また、本実施例では、送水に用いた同じ送水管路２２を用いて残水等を引き込んで除去するようにしているので、引き込むために別の管路を設けることを必要としない。つまり、同じ管路により流体の供給と引き込みとを兼用して行うことができる。  
また、例えば内視鏡２として、処置具チャンネルを備えたものを使用した場合、その処置具チャンネルに処置具を挿通した状態においても残水等を引き込んで除去することが同様にできる。  
従って本実施例は、操作性の良い流体供給装置或いは送気送水装置を実現できる。
【００３３】
（実施例２）
次に本発明の実施例２を説明する。図８Ａ〜図８Ｃは実施例２の流体制御手段を構成する噴霧スイッチ１７Ｂにおける一部の構造を示す。図８Ａ、図８Ｂ及び図８Ｃは、それぞれ無操作時、送気時、噴霧時における構造を示している。  
この噴霧スイッチ１７Ｂは、例えば実施例１における図５Ａ〜図５Ｃに示す噴霧スイッチ１７において、送水口金３４ａ、３４ｂ部分よりも下端側を変更した構造にしている。より具体的には図５Ａにおいては、送水口金３４ｂは、底部側の空間３５に連通させる構造であったが、本実施例においては、（空間３５に連通させないで）スイッチ軸３６の側面に開口するように設けられている。
【００３４】
また、本実施例においては、シール材３８ｅの下方側の位置に固定シール材３８ｇを設けた構成にしている。この固定シール材３８ｇは、スイッチ本体３２の内周面に設けた周溝に設けられており、スイッチ軸３６がその軸方向に移動してもその位置は移動しない固定（変化しない）状態となる。  
また、本実施例では、実施例１の空間３５に相当する底部側に設けた空間３５′は、単にスイッチ軸３６が下方に移動された場合にも、そのスイッチ軸３６を単に収納するための空間となる。但し、この空間３５′は、スイッチ軸３６の移動に対して負荷を与えないように密閉されていない（外部と連通する）。  
そして、本実施例においてはシール材３８ｅ及び固定シール材３８ｇ間におけるスイッチ軸３６外周面とスイッチ本体３２の内周面との間に、実施例１の空間３５と同様の機能を持つ空間を形成することにより、実施例１と類似した機能を実現する。
【００３５】
また、本実施例においては、スイッチ軸３６の外周面とスイッチ本体３２の内周面との隙間を実施例１の場合よりも大きくすることで、その機能を大きくしている。その他の構成は、実施例１と同じ構成である。  
図８Ａに示すように無操作時は、実施例１の場合と同様に送気口金３３ａ、３３ｂ間と送水口金３４ａ、３４ｂ間とは遮断された状態である。  
この状態において、実施例１と同様に１段目までスイッチ軸３６を下方に押し込むことにより、図８Ｂの状態になり、この状態において送気口金３３ａ、３３ｂ間は連通する。そして、送気を行うことができる。
【００３６】
さらに、２段目までスイッチ軸３６を下方に押し込むことにより、図８Ｃの状態になり、この状態において送気口金３３ａ、３３ｂ間は連通する状態を維持し、さらに送水口金３４ａ、３４ｂ間が連通する状態となる。  
そして、送気と送水とを同時に行うことにより、先端ノズルから対物レンズ１１の外表面に噴霧することができる。  
この噴霧の操作を停止すると、図８Ｃの状態から図８Ｂの状態を経て図８Ａの状態に戻る。この移行の際、具体的には図８Ｂの状態になると、上記のように送水口金３４ａ、３４ｂ間の連通状態はシール材３８ｅにより遮断された状態となる。  
また、この遮断された状態においては、送水口金３４ｂは、符号Ｖａで示す密閉された空間、具体的にはシール材３８ｅ及び固定シール材３８ｇとスイッチ軸３６の外周面とスイッチ本体３２の内周面との間で形成される密閉空間と連通状態になる。
【００３７】
そして、この隙間Ｖａは、スイッチ軸３６がさらに上方に移動して図８Ａの状態になると、より広い隙間Ｖｂとなる。  
そして、両隙間Ｖａ、Ｖｂ間の差、つまりＶｂ−Ｖａの体積が負圧となって、実施例１の場合と同様に送水口金３４ｂ側の流路内及びその先端開口周辺の残水を引き込む作用を持つ。  
このため、本実施例によれば、実施例１と同様に内視鏡２の対物レンズ１１の観察視野を妨げる残水を引き込んで除去でき、良好な観察視野を確保できる。  
また、本実施例も実施例１と同様に同じ管路により流体の供給と引き込みとを兼用して行うことができ、操作性の良い流体供給装置或いは送気送水装置を実現できる。
【００３８】
（変形例）
上述した実施例１、２の噴霧スイッチ１７、１７Ｂでは、スイッチ軸３６を１段目までの押し込むことにより送気状態を得られ、スイッチ軸３６をさらに２段目まで押し込むことによって噴霧状態を得られる。そして、噴霧スイッチ１７においては、噴霧を停止した後、スイッチ軸３６がバネ３７ａの弾性力で無操作時の位置に復帰するときに発生する負圧により残水を引き込んでいた。しかし、噴霧スイッチ１７においては、残水が空間３５内に引き込まれ、噴霧スイッチ１７Ｂにおいては残水がスイッチ軸３６の外周面とスイッチ本体３２の内周面３２とシール材３８ｅ、３８ｇとで形成される空間内に引き込まれていた。そのため、残水を引き込んだ後、噴霧スイッチ１７、１７Ｂを１段目まで押し込んで送気を行うとき、その操作状態(噴霧スイッチの向きの変化等)によっては、送気のためのスイッチ軸３６の移動に伴ってシール材３８ｅが移動することにより、引き込まれていた残水が押し出されるおそれがあった。
【００３９】
図９、図１０Ａ〜図１０Ｃは、残水が押し出されることを防止する噴霧スイッチの変形例にかかり、図９は噴霧スイッチ１７Ｃの構成及び組み立て手順を説明する図であり、図１０Ａ、図１０Ｂ及び図１０Ｃは、それぞれ無操作時、送気時、噴霧時を示す図である。
【００４０】
本変形例の噴霧スイッチ１７Ｃは、図９に示すようにスイッチ本体３２Ｃと、第１スイッチ軸３６Ａと、第２スイッチ軸３６Ｂと、下蓋３２ａ１と、押し込み部３６ｃと、第１の付勢部材である押し込み部側バネ３７ｃと、第２の付勢部材である下蓋側バネ３７ｄとを備えて構成されている。
【００４１】
スイッチ本体３２Ｃ内には、中央貫通孔３２Ｃｔと、この中央貫通孔３２Ｃｔと外部とを連通する連通孔とが形成されている。連通孔には、前記送気口金３３ａ、送水口金３４ａ、送気口金３３ｂ、送水口金３４ｂがそれぞれ設けられる。中央貫通孔３２Ｃｔは、バネ用凹部３２ｄと、第１スイッチ軸用孔３２ｅと、第２スイッチ軸用孔３２ｆと、雌ネジ部３２ｇとを有している。  
雌ネジ部３２ｇには、下蓋３２ａ１に形成されている雄ネジ部３２ｈが螺合する。下蓋３２ａ１には下蓋側バネ３７ｄが配置される凹部３２ｉが設けられている。  
第１スイッチ軸用孔３２ｅには、第１当接段部３２ｋが形成されている。第２スイッチ軸用孔３２ｆには、第２当接段部３２ｍが形成されている。
【００４２】
第１スイッチ軸３６Ａにはシール材３８ａ、３８ｂ、３８ｃが配設される凹部３６ｄ、３６ｅ、３６ｆが軸方向に形成されている。凹部３６ｅにはシール材３８ｂが配設される。このシール材３８ｂは、上述した実施形態とは異なり、第１当接段部３２ｋに当接するように構成されている。  
第１スイッチ軸３６Ａにはリーク用貫通孔４０ａと、リーク孔４０ｂと、周状凹部４０ｃとが形成されている。また、第１スイッチ軸３６Ａのスイッチ本体３２Ｃから突出する上端部には雄ネジ部３６ｇが形成されている。雄ネジ部３６ｇには、押し込み部３６ｃの雌ネジ部３６ｈが螺合する。符号３６ｉはスリットである。
【００４３】
第２スイッチ軸３６Ｂは、細径部３６ｊと太径部３６ｋとで構成されている。太径部３６ｋにはシール材３８ｄ、３８ｅが配設される凹部３６ｍ、３６ｎが形成されている。太径部３６ｋの端面は、第２当接段部３２ｍに当接するように構成されている。細径部３６ｊの外周には下蓋側バネ３７ｄが配置される。
【００４４】
噴霧スイッチ１７Ｃの組み立てを説明する。  
まず、作業者は、スイッチ本体３２Ｃの雌ネジ部３２ｇ側の開口に第１スイッチ軸３６Ａの上端部を配置する。そして、作業者は、第１スイッチ軸３６Ａを、第２スイッチ軸用孔３２ｆ、第１スイッチ軸用孔３２ｅ、及びバネ用凹部３２ｄに挿通して、その上端部を外部に露出させる。  
作業者は、露出した上端部の外周に押し込み部側バネ３７ｃを配置し、そのバネ３７ｃをバネ用凹部３２ｄ内に配置する。そして、作業者は、例えばマイナスドライバーの先端を雌ネジ部３２ｇ側の開口を介してスリット３６ｉに配置し、その後、押し込み部３６ｃの雌ネジ部３６ｈをバネ３７ｃの弾性力に抗して上端部の雄ネジ部３６ｇに螺合していく。  
押し込み部３６ｃと第１スイッチ軸３６Ａとを螺合によって一体に構成することにより、図１０Ａに示すように第１スイッチ軸３６Ａがスイッチ本体３２Ｃにスライド自在に配置される。  
この配置状態において、シール材３８ｂは、圧縮されたバネ３７ｃの弾性力によって第１当接段部３２ｋに密着した状態になる。一方、シール材３８ａ、３８ｃは、上述と同様にスイッチ本体３２Ｃの内周面に接触している。  
そして、シール材３８ｂとシール材３８ｃとの間には、送気口金３３ａが配設される連通孔が位置している。
【００４５】
次に、作業者は、前記図９に示すようにスイッチ本体３２Ｃの雌ネジ部３２ｇ側の開口に第２スイッチ軸３６Ｂの太径部３６ｋを配置する。そして、作業者は、第２スイッチ軸３６Ｂを、第２スイッチ軸用孔３２ｆの奥方に挿通していく。すると、太径部３６ｋの端面が、第１スイッチ軸３６Ａに当接することなく、即ち、第１スイッチ軸３６Ａとの間に、隙間ｗ１（図１０Ａ参照）を有するように第２当接段部３２ｍに当接する。隙間ｗ１は、後述する無操作時から送水時に移行操作するときの移動距離、即ち１段目のストロークである。  
作業者は、細径部３６ｊの外周に下蓋側バネ３７ｄを配置し、その後、下蓋３２ａ１の凹部３２ｉ内にバネ３７ｄを配置する。そして、作業者は、下蓋３２ａ１の雄ネジ部３２ｈをバネ３７ｄの弾性力に抗してスイッチ本体３２Ｃの雌ネジ部３２ｇに螺合して、スイッチ本体３２Ｃを筒部として構成する。  
下蓋３２ａ１とスイッチ本体３２Ｃとを螺合によって一体に構成することにより、図１０Ａに示すように第２スイッチ軸３６Ｂがスイッチ本体３２Ｃ内にスライド自在に配置された噴霧スイッチ１７Ｃが構成される。
【００４６】
なお、シール材３８ｄ、３８ｅは、上述と同様にスイッチ本体３２Ｃの内周面に接触している。そして、シール材３８ｃとシール材３８ｄとの間には、送気口金３３ｂが配設される連通孔が位置し、シール材３８ｄとシール材３８ｅとの間には、送水口金３４ａが配設される連通孔が位置し、シール材３８ｅとシール材３８ｆとの間には、送水口金３４ｂが配設される連通孔が位置する。  
その他の構成は上述した実施例と同様であり、同部材には同符号を付して説明を省略する。
【００４７】
上述のように構成される噴霧スイッチ１７Ｃの作用を説明する。  
本変形例の噴霧スイッチ１７Ｃにおいては、図１０Ａに示すように、無操作時においては、送気口金３３ａ、３３ｂ、送水口金３４ａ、３４ｂの各連通孔はそれぞれ異なる２つのシール材がスイッチ本体３２Ｃの内周面に密着して構成された異なる空間に連通している。このため、例えば、口金３３ａ、３４ａを介して矢印に示すように流体が供給された場合に、供給された流体が口金３３ｂ、３４ｂから噴出すること、リーク孔４０ｂから噴出することが防止されている。
【００４８】
ユーザが押し込み部３６ｃを押すと、第１スイッチ軸３６Ａが押し込み部側バネ３７ｃの弾性力に抗して押し下げられていく。そして、図１０Ｂに示すように第１スイッチ軸３６Ａの下端が第２スイッチ軸３６Ｂの太径部３６ｋの端面に当接して送気状態になる。言い換えれば、ユーザが押し込み部３６ｃを押し、第１スイッチ軸３６Ａを隙間ｗ１分だけ、移動させることによって送気状態になる。  
このとき、送水口金３４ａ、３４ｂ間は空間によって遮断された状態で維持されているのに対し、送気口金３３ａと送気口金３３ｂとは、第１スイッチ軸３６Ａの外周面とスイッチ本体３２Ｃの内周面とシール材３８ａ、３８ｄとで構成される空間を介して連通して送気のための流路が構成される。すると、リーク孔４０ｂから空気が噴出される。
【００４９】
したがって、ユーザが第１スイッチ軸３６Ａのリーク孔４０ｂを指で塞ぐ状態で押し込む操作をした場合には、破線の矢印に示すように空気が外部にリークすることを遮断でき、この場合には送気口金３３ａから実線の矢印に示すように送気された空気は送気口金３３ｂ側に送気される。  
そして、送気口金３３ｂ側に送気された空気は洗浄シース３の送気管路２１を通り、先端ノズル１３から噴出される。  
また、図１０Ｂの状態からユーザが押し込み部３６ｃをさらに押すと、第１スイッチ軸３６Ａ及び第２スイッチ軸３６Ｂが押し込み部側バネ３７ｃ及び下蓋側バネ３７ｄの弾性力に抗して押し下げられていく。そして、押し込み部３６ｃがスイッチ本体３２Ｃに当接して図１０Ｃに示す噴霧時の状態になる。言い換えれば、ユーザが押し込み部３６ｃを、間隔ｗ２だけ移動させることによって噴霧状態になる。  
この状態においては、送気口金３３ａ、３３ｂ間の連通状態が維持される一方、送水口金３４ａ、３４ｂ間は、第２スイッチ軸３６Ｂの外周面とスイッチ本体３２Ｃの内周面とシール材３８ｄ、３８ｅとで構成される空間を介して連通して送液のための流路が構成される。
【００５０】
したがって、ユーザがリーク孔４０ｂを塞がないと、破線の矢印で示すように空気が外部にリークして送水のみを行う状態となる。一方、ユーザがリーク孔４０ｂを塞ぐと、実線の矢印に示すように送気及び送水とを同時に行う状態となり、この場合には上述したように先端ノズル１３から霧を噴霧させることができる。
【００５１】
つまり、噴霧スイッチ１７Ｃにおいては、押し込み部３６ｃがバネ３７ｃの弾性力に抗して第１スイッチ軸３６Ａだけが単独で隙間ｗ１だけ移動する１段目の操作と、バネ３７ｃ、３７ｄの弾性力に抗してスイッチ軸３６Ａ、３６Ｂがともに間隔ｗ２だけ移動する２段目の操作とによる、二段階操作を実現している。この二段階操作においては、１段目の操作と、２段目の操作とではバネの弾性力が異なることにより、明らかに操作力量が変化する。
【００５２】
噴霧を停止した後、前記図４に示したように残水が残ってしまう場合がある。この場合、本実施例においても、噴霧スイッチ１７Ｃの無操作状態への復帰動作による残水の引き込みを行う。
【００５３】
即ち、噴霧する動作を停止させる際、ユーザは、図１０Ｃに示すように２段目まで押し込み部３６ｃを押し込んだ状態から指を離す。すると、噴霧スイッチ１７Ｃは、両バネ３７ｃ、３７ｄの弾性力により、無操作時、つまり図１０Ａの状態に移行する。  
図１０Ｃの状態から図１０Ａの状態に向けて移行する際、まず、図１０Ｃの状態からスイッチ軸３６Ｂが僅かな量だけ移動すると略同時に、シール材３８ｅがスイッチ本体３２の内周面に密着する。このことによって、送水口金３４ａと送水口金３４ｂと間の連通状態が遮断される。  
この結果、空間３５Ｃは、送水口金３４ｂとだけ連通した状態になる。
【００５４】
このため、シール材３８ｅにより送水口金３４ａとの連通が遮断された後、スイッチ軸３６Ｂが弾性力で移動するに従って、第２スイッチ軸３６Ｂの円柱状部分の断面積と移動量とを乗算した体積Ｖｃ分が送水口金３４ｂ側の通路に対して負圧として作用する。すると、送水口金３４ｂ側の通路を形成する送水管路２２の先端部の残水は、送水口金３４ｂの通路側に対して発生された負圧によって、空間３５内に引き込まれる。
【００５５】
残水引き込み後、噴霧スイッチ１７Ｃの押し込み部３６ｃを押し込んで送気を行う場合、術者は、押し込み部３６ｃを１段目まで押し込む。このとき、第１スイッチ軸３６Ａだけが移動する。言い換えれば、残水引き込み後、術者が、送気のために押し込み部３６ｃを押し込み操作したとき、第２スイッチ軸３６Ｂは隙間ｗ１により停止状態である。このため、シール材３８ｅが移動することにより、空間３５Ｃ内の残水が押し出されることが防止される。
【００５６】
このように、本変形例によれば、第１実施例及び第２実施例と同様に残水の引き込み除去が可能であるとともに、残水の引き込み後、送気を行うために押し込み部３６ｃを押し込み操作した場合であっても、第１スイッチ軸３６Ａだけが移動することにより、空間３５Ｃ内の残水が、送気状態で噴出されることを確実に防止することができる。
【００５７】
（実施例３）
次に図１１を参照して本発明の実施例３を説明する。図１１は本発明の実施例３を備えた内視鏡装置１Ｃの全体構成を示す。  
この内視鏡装置１Ｃは、実施例１の内視鏡装置１において洗浄シース３及び噴霧スイッチ１７の代わりに、洗浄シース３Ｃを設けている。  
この洗浄シース３Ｃは、図１の噴霧スイッチ１７に相当する噴霧スイッチ１７Ｄが取付部１４に一体的に設けられ、さらにこの噴霧スイッチ１７Ｄには流体引き込み動作用スイッチ（以下、単にスイッチ）５１が連結して設けられている。  
また、取付部１４に一端が固定された送水チューブ１６は、このスイッチ５１内を通して噴霧スイッチ１７Ｄの送水口金（例えば図８Ａの送水口金３４ｂ）に接続される。
【００５８】
本実施例における噴霧スイッチ１７Ｄは、例えば実施例２の噴霧スイッチ１７Ｂにおいて、固定シール材３８ｇの代わりに、スイッチ軸３６側に取り付けた（スイッチ軸３６と共に移動する）シール材を設けた構成のものを用いることができる。  
具体的には、例えば図８Ｂにおける固定シール材３８ｇの位置にスイッチ軸３６側にシール材（便宜上、３８ｇ′とする）を設けた構成にした噴霧スイッチを本実施例の噴霧スイッチ１７Ｄとして利用できる。  
この構成の場合、噴霧時から無操作時（初期状態時）に復帰する途中で図８Ｂの場合と同様に符号Ｖａで示す隙間が形成されるが、この隙間Ｖａはスイッチ軸３６がさらに上方側に移動しても実質的に変化しない。
【００５９】
つまり、シール材３８ｇ′は、シール材３８ｅと共に、上方に移動するため、無操作時に戻っても隙間Ｖａのままとなるため、負圧が発生しない。本実施例における噴霧スイッチ１７Ｄとしては、噴霧時から無操作時に復帰する過程で負圧が発生しない噴霧スイッチの場合に利用できるものである。  
そして、このような噴霧スイッチ１７Ｄを採用しても、以下に示すように実施例２等と類似の流体引き込みを行うことができるようになる。  
図１２Ａ、図１２Ｂ，図１２Ｃは、本実施例における使用例によりスイッチ５１周辺部の内部構成を示し、それぞれ噴霧時、噴霧時から無操作時への復帰する途中の例えば送気時、無操作時の状態を示す。また、図１２Ｂ，図１２Ｃにおいては、円で示す一部を拡大して示している。
【００６０】
スイッチ５１を構成するスイッチ本体５１ａには、弾性体で形成された送水チューブ１６を通すガイド孔５２が設けてあり、このガイド孔５２における長手方向の例えば中央付近に、このガイド孔５２に直交する方向（上方向）に穴が設けられ、移動自在のスイッチ軸５３が配置されている。  
このスイッチ軸５３は、送水チューブ１６の弾性力により、通常は図１２Ｃに示すように穴から上方に突出するように付勢されている。  
この状態の場合、スイッチ軸５３の上端に設けられたキートップ５３ａの円錐面は、噴霧スイッチ１７Ｄのスイッチ軸３６の押し込み部３６ａが接触或いは近接しており、かつこのキートップ５３ａは、スイッチ軸３６の押し込み部３６ａの押し込みストロ−ク内（押し込み操作範囲の内側）に配置されている。
【００６１】
なお、スイッチ軸３６の押し込み部３６ａは、実際には図５Ａ〜図５Ｃで示しているようにバネ３７ａ、３７ｂにより押し込み部３６ａが突出するように付勢されている（図１２Ａ〜図１２Ｃでは簡単化のため省略。後述する図１４Ａ〜図１４Ｃも同様）。  
また、この状態の場合、スイッチ軸５３の下端は、ガイド孔５２内の送水チューブ１６に接触或いはこれに近い状態である。なお、この状態では送水チューブ１６は、円管形状の状態である。  
そして、図１２Ｃの状態において、ユーザがスイッチ軸５３を１段目或いは２段目まで押し込む操作を行った場合には、図１２Ｂの状態或いは図１２Ａのように変化する。  
そして、２段目まで押し込んだ後、その押し込む操作を止めて、指を放すと、図１２Ａから図１２Ｂ、図１２Ｃのように変化する。
【００６２】
本実施例では、送水管路２２に接続された（この送水管路２２とは別体で、弾性体の）送水チューブ１６を、流体の供給を停止する押し込み操作を止める動作に伴って、以下に説明するようにその送水チューブ１６内の圧力を変化させることにより、送水管路２２により流体としての残水を引き込む構成にしている。  
次に本実施例の動作を説明する。  
内視鏡検査により、例えば、対物レンズ１１の外表面に体液等の付着物が付着して、観察の妨げになったような場合には、洗浄シース３Ｃの噴霧スイッチ１７Ｄを２段目まで押し込み、図１２Ａの状態にする。
【００６３】
すると、ポンプから空気及び水（或いは洗浄水）が、送気チューブ１５、送水チューブ１６を通って洗浄シース３Ｃに送られる。  
洗浄シース３Ｃにおいては、空気及び水は洗浄シース３Ｃ内の送気管路２１及び送水管路２２（図２参照）を通って、先端ノズル１３によって、直角方向に屈曲され、対物レンズ１１の外表面方面に向きを変えられる。そして、先端ノズル１３から噴出（噴霧）された霧が対物レンズ１１の外表面に当たり、付着物が除去される。  
そして、噴霧スイッチ１７Ｄを押し込む操作を止めて、ユーザが押し込み部３６ａから指を放すと、噴霧が停止する。  
噴霧の動作が停止すると、対物レンズ１１の観察視野内に残水が溜まっている場合がある。
【００６４】
噴霧スイッチ１７Ｄの押し込み部３６ａから放すと、押し込み部３６ａが図１２Ｃに復帰する途中に、押し込み部３６ａがスイッチ５１のスイッチ軸５３の円錐形のキートップ５３ａを押圧してスイッチ軸５３を押し下げる。  
すると、スイッチ軸５３の下端が送水チューブ１６を押圧して、この送水チューブ１６を潰すことにより、送水チューブ内の体積が小さくなる。この状態を図１２Ｂにて示している。  
その後、押し込み部３６ａはさらに移動して無操作時の位置、つまり図１２Ｃの位置まで移動するため、スイッチ軸５３の下端が送水チューブ１６を潰す力を解放することになる。この解放の際、送水チューブ１６が弾性体であるため、もとの円管形状に戻り、管路内の体積が増えるため、その内部の圧力が低くなる。
【００６５】
この際の圧力が下がる圧力変化により、管路内は引圧（負圧）となり、洗浄シース３Ｃの先端に溜まる残水を送水管路２２内に引き込む。  
付着物を除去した後に残った残水は、先端ノズル１３の縁等に貯まることなく、送水チューブ１６の引圧により、引き込んで、除去できる。  
従って、対物レンズ１１による観察視野を、良好にできる。  
このように本実施例によれば、内視鏡２の観察視野を妨げる残水を引き込んで除去でき、良好な観察視野を確保できる。  
また、本実施例も実施例１と同様に同じ管路により流体の供給と引き込みとを兼用して行うことができ、操作性の良い流体供給装置或いは送気送水装置を実現できる。
【００６６】
（実施例４）
次に図１３を参照して本発明の実施例４を説明する。図１３は本発明の実施例４を備えた内視鏡装置１Ｄの全体構成を示す。  
この内視鏡装置１Ｄは、実施例３の内視鏡装置１Ｃにおいて、洗浄シース３Ｃの代わりに洗浄シース３Ｄを採用している。  
この洗浄シース３Ｄは、洗浄シース３Ｃにおいて、スイッチ５１の代わりに引き込み動作用スイッチ（以下、単にスイッチ）６１を採用している。  
また、本実施例においては、噴霧スイッチ１７Ｄのスイッチ軸３６の端部に設けられた押し込み部３６ａには、取付部１４側に向けて突出する弾性部６２が設けられている。  
弾性体で形成された弾性部６２に近接して、洗浄シース３Ｄ内に挿通されたピン６３（板形状でも良い）の後端には、このピン６３の長手方向と例えば直交する方向で、弾性部６２側に突出する例えば板状のスイッチ６１が取り付けられている。
【００６７】
このスイッチ６１は、以下に説明するように、噴霧操作後の無操作時（初期状態の位置）への復帰の際に、弾性部６２と係合して、洗浄シース３Ｄの先端を押圧移動させるスイッチとして作用する。  
図１４Ａ〜図１４Ｃは、本実施例における引き込み手段に関係する部分の構成を示す。また、図１４Ａ、図１４Ｂ，図１４Ｃは、それぞれ噴霧時、噴霧時から無操作時への復帰する途中の例えば送気時、無操作時の状態を示す。  
図１４Ｃ（或いは図１４Ａ）に示すように洗浄シース３Ｄの中空部内には、内視鏡２と共にピン６３が挿通されており、ピン６３の先端は先端ノズル１３の例えば突き当て部の背面に当接している。
【００６８】
また、このピン６３の後端が位置する取付部１４内には、下方に向かう穴が設けてあり、このピン６３の後端にはこの穴を通り、下方に取り付けられた噴霧スイッチ１７Ｄの押し込み部３６ａ側に突出するスイッチ６１が設けられている。  
このスイッチ６１は、無操作時（初期状態時）は、図１４Ｃに示すように押し込み部３６ａの弾性部６２の位置を超えて噴霧スイッチ１７Ｄ寄りの位置、つまり押し込み部３６ａの移動範囲（或いは移動ストローク）内の位置、に配置されている。  
そして、図１４Ｃの無操作時の位置から噴霧させるように噴霧スイッチ１７Ｄの押し込み部３６ａを押し込む操作を行うことにより、図１４Ｂの状態を経て図１４Ａの噴霧させる噴霧時の状態になる。  
そして、噴霧操作後に、ユーザが押し込み部３６ａから指を離すと、図１４Ｂの途中のプロセスを経て図１４Ｃの状態に戻る。
【００６９】
そして、図１４Ａから図１４Ｃの状態に戻る動作中にピン６３を押圧移動して、先端ノズル１３を前方側に移動させた後もとの状態に復帰する際に、洗浄シース３Ｄのマルチルーメンチューブ１２と内視鏡２との隙間の体積を変化させて引圧を発生させ、噴霧の後に残る残水を引き込んで除去する構成にしている。  
次に本実施例の動作を説明する。内視鏡２の対物レンズ１１の外表面が付着物が付着したような場合には、ユーザは、洗浄シース３Ｄの噴霧スイッチ１７Ｄの押し込み部３６ａを指で押し込む操作を行い、図１４Ａの噴霧時の状態にする。  
すると、ポンプ側から空気及び水（又は洗浄水）が、送気チューブ１５，送水チューブ１６を通って取付部１４に送られる。
【００７０】
空気及び水は、洗浄シース３Ｄの送気管路２１，送水管路２２を通って、先端ノズル１３によって対物レンズ１１の外表面方向に向きを変えられ、例えば霧となって噴霧される。  
そして、噴霧された流体が対物レンズ１１の外表面に当たり、付着物が除去される。その後、ユーザは、噴霧スイッチ１７Ｄの押し込み部３６ａから指を放すと噴霧がとまる。この場合、内視鏡２の対物レンズ１１の観察視野内に残水が溜まっている場合があるが、以下のように除去される。  
上記のようにユーザが押し込み部３６ａから指を放すと、押し込み部３６ａは図示しないバネの弾性力により、図１４Ｂの状態を経て図１４Ｃのように噴霧スイッチ１７Ｄから突出する無操作時の状態に戻る動作を行う。
【００７１】
この場合、図１４Ａの状態から押し込み部３６ａが噴霧スイッチ１７Ｄから突出する方向に移動すると、図１４Ｂに示すように弾性部６２がスイッチ６１を押圧する。  
そして、この図１４Ｂ中に示すようにスイッチ６１が２点鎖線で示す図１４Ａの位置から実線で示すようにピン６３が矢印で示すように押圧移動されると、ピン６３の先端は先端ノズル１３を押し出す。  
そして、弾性体で形成されたマルチルーメンチューブ１２を伸張させ、その内径等を収縮させ、洗浄シース３Ｄのマルチルーメンチューブ１２に形成された送気管路２１及び送水管路２２もその管路内の体積が小さくなる。  
また、マルチルーメンチューブ１２の内径部分と内視鏡２との間の隙間の体積が小さくなる。
【００７２】
弾性部６２がスイッチ６１を押圧移動して、弾性部６２がスイッチ６１から離れた図１４Ｃの状態、つまり無操作時の状態の位置まで押し込み部３６ａが移動すると、スイッチ６１は押圧されなくなるため、弾性体で形成されたマルチルーメンチューブ１２は、もとの形状に戻る。  
つまり、マルチルーメンチューブ１２は、図１４Ｃ中の矢印で示すように伸張した状態からもとの状態に復帰し、収縮した内径等ももとの状態に復帰する。これにより、マルチルーメンチューブ１２の内径部分と内視鏡２との間の隙間の体積も小さくなっていた状態から（より大きい）もとの体積に戻り、その際にその圧力が低くなる。  
また、マルチルーメンチューブ１２に形成された送気管路２１及び送水管路２２も、その管路内の体積が小さくなっていた状態から、もとのより大きな状態に復帰する。この場合、送水管路２２内の体積が大きくなる際に、その送水管路２２内の圧力が低くなる。
【００７３】
そして、この圧力が下がる圧力変化により、送水管路２２内は引圧となり、洗浄シース３Ｄの先端に溜まる残水を送水管路２２内に引き込む。  
また、マルチルーメンチューブ１２の内径部分と内視鏡２との間の隙間部分での引圧により、残水を引き込む。  
このようにして、付着物を除去するために送水されて対物レンズ１１の観察視野周辺に残った残水は、先端ノズル１３の縁などに貯まることなく、送水管路２２内や、洗浄シース３Ｄと内視鏡２との間の空間に引き込まれる。  
従って、本実施例においても対物レンズ１１による観察視野を良好な状態に設定できる。  
従って、本実施例においても実施例１などと同様に同じ管路により流体の供給と引き込みとを兼用して行うことができる。
【００７４】
なお、上述の説明においては、洗浄シース３等に流体供給装置或いは送気送水装置を設けた構成で説明したが、軟性内視鏡のように送気管路及び送水管路を備え、かつ送気及び送水を行う送気／送水スイッチ機構を備えた内視鏡にも適用できることは明らかである。
【００７５】
つまり、送水を行う送水操作スイッチ部分に上述した構成、例えば実施例１を適用することができる。  
また、本発明は、内視鏡のチャンネル内に挿通される処置具などにも適用することができる。以下、処置具に適用した実施例を説明する。
【００７６】
（実施例５）
次に図１５を参照して本発明の実施例５を説明する。図１５は本発明の実施例５を備えた内視鏡装置１Ｅの全体構成を示す。  
図１５に示すように本発明の実施例５を備えた内視鏡装置１Ｅは、体腔内に挿入可能で、体腔内の患部等の観察対象部位７２を撮像して内視鏡観察等をする電子内視鏡（以下、スコープと略記）７３と、このスコープ７３が着脱自在に接続され、観察用の照明光を発生する光源装置７４と、スコープ７３が着脱自在に接続され、撮像された画像信号に対する信号処理等を行うプロセッサ７５と、このプロセッサ７５と接続され、プロセッサ７５
から出力される映像信号が入力され、この映像信号に対応する画像を表示するモニタ７６とを備える。  
スコープ７３は、体腔内に挿入される細長の挿入部７８と、この挿入部７８の後端に設けられた操作部７９と、この操作部７９から延出されるユニバーサルコード８０とを有する。
【００７７】
スコープ７３の挿入部７８内には照明光を伝送するライトガイドファイバ８１が挿通され、このライトガイドファイバ８１の後端側はユニバーサルコード８０内を挿通され、その後端のライトガイドコネクタ８２を光源装置７４に着脱自在に接続することにより、光源装置７４から照明光が供給される。  
このライトガイドファイバ８１により伝送された照明光は、挿入部７８の先端部の照明窓に取り付けられた先端面からさらに照明レンズ８３を経て体腔内の観察対象部位７２側に出射される。  
この照明窓に隣接して設けられた観察窓には対物レンズ８４が取り付けてあり、その結像位置には固体撮像素子、具体的にはＣＣＤ８５が配置され、ＣＣＤ８５は、その撮像面に結像された光学像を光電変換する。このＣＣＤ８５は、信号線を介してその端部のコネクタがプロセッサ７５に接続される。
【００７８】
また、スコープ７３の挿入部７８には、処置具等を挿通可能とするチャンネル８６が設けてある。本実施例では、このチャンネル８６を介して、染色する色素剤の機能を有すると共に、光増感の機能を有するメチレンブルー８７の溶液を収納したシリンジ装置８８に接続された散布用チューブ８９を挿通して、観察対象部位７２にメチレンブルー８７の溶液を投与（より具体的には散布）して、観察することもできるようにしている。  
観察対象部位７２に対してメチレンブルー８７を散布することにより、術者は、その凹凸の様子をより識別し易い状態で観察することが可能となる。  
シリンジ装置８８は、メチレンブルー８７の溶液（以下、単に溶液と略記）の収納部９１と、散布用スイッチ９２とからなる。  
収納部９１は、溶液を収納したシリンダ形状の溶液収納部９１ａと、この溶液収納部９１ａに嵌合してスライド自在のピストン形状の可動部９１ｂとからなる。
【００７９】
散布用スイッチ９２は、例えば図５Ｃに示す噴霧スイッチ１７における送水口金３４ａ、３４ｂの周辺部と押し込み操作を行う押し込み部３６ａ部分とで形成され、送気口金３３ａ、３３ｂを省いた構成である。なお、ここでは、送液を行うため、図５Ａ〜図５Ｃで用いた送水口金３４ａ、３４ｂの代わりに送液口金３４ａ′、３４ｂ′として用いる。
【００８０】
送液口金３４ａ′は、溶液収納部９１ａに接続されており、送液口金３４ｂ′は散布用チューブ８９に接続されている。  
なお、図１５においては、押し込み部３６ａを押し込み、溶液を散布する散布時の状態で示している。  
この押し込み操作を行っている場合、矢印で示すように溶液が流れ、メチレンブルー８７が散布用チューブ８９の先端から観察対象部位７２に散布される。なお、この場合、可動部９１ｂは移動する。  
そして、散布されたメチレンブルー８７は、観察対象部位７２の表面の凹凸の具合に応じて堆積し、その場合の染色濃度や、光吸収の強度により凹凸の具合がより識別し易くなる。
【００８１】
そして、押し込み操作を停止して、押し込み部３６ａから指を離すと、スイッチ軸３６がバネ３７ｂの弾性力で上方側に移動する。図５Ａ〜図５Ｃにおいても説明したようにスイッチ軸３６が僅かに上方に移動すると、両送液口金３４ａ′、３４ｂ′間は遮断され、送液口金３４ｂ′は密閉された空間３５と連通する。さらにスイッチ軸３６が上方に移動すると、空間３５の体積が増大し、その際に負圧が発生して散布用チューブ８９側の溶液
を引き込む。  
本実施例によれば、押し込み操作を停止した場合、スイッチ軸３６のバネ３７ｂにより戻り動作の過程で散布用チューブ８９内の溶液を引き込むので、この溶液が垂れ流されることを解消できる。つまり、メチレンブルー８７の溶液、つまり色素を体腔内に散布し過ぎることを低減できる。
【００８２】
また、散布する操作を停止した場合、溶液の引き込みが行われるので、この引き込みを行わない場合に比較して散布停止が速やかに行われるので、散布停止の応答性を改善することもできる。  
なお、本実施例では１つの管路を備えた処置具の場合で説明したが、例えばチャンネル８６内に図１６に示すように２つの管路を備えた処置具、例えば内視鏡用散布処置具１００を使用する場合にも同様に適用できる。  
図１６に示すように、内視鏡用散布処置具１００のシース１０１には、２つの管路１０２ａ，１０２ｂが設けられ、これらの管路１０２ａ，１０２ｂは、手元端の処置具操作部本体１０３に設けられた孔１０４ａ，１０４ｂに連通するように固着されている。  
処置具操作部本体１０３の一方の孔１０４ａには、例えば注射を行う処置具としての注射器具の注射針操作部１０５が摺動可能に嵌め込んで取り付けられている。
【００８３】
この注射針操作部１０５には、生理食塩水等の流体を供給する流路を形成する可撓性チューブ１０６が取り付けられている。注射針操作部１０５は内視鏡的に体腔内部位に注射を行なうときに注射器具を操作する作業部を構成するものである。  
上記注射器具の可撓性チューブ１０６は、例えば高分子樹脂製で、この可撓性チューブ１０６は、処置具操作部本体１０３の孔１０４ａからシース１０１の管路１０２ａにわたり摺動可能に挿通されている。  
また、注射針操作部１０５の基端には第１口金１０７が設けられ、第１口金１０７には生理食塩水等の流体を注入するための図示しないシリンジを取り付けられるようになっている。  
また、処置具操作部本体１０３の側上方部位には孔１０４ｂに連通する第２口金１０８が設けられ、この第２口金１０８には、例えば色素等の流体を注入するためのシリンジ装置８８を取り付けることができる。
【００８４】
また、シース１０１の一方の管路１０２ａ内に配置される可撓性チューブ１０６の先端には流体注入針１１１の基端部分が固着されている。そして、注射針操作部１０５を前後に進退させると、可撓性チューブ１０６を介して、流体注入針１１１が前後に移動し、シース１０１の先端から突没し、患部部位に薬剤などを注射することができる。  
なお、シース１０１の管路１０２ａにおける先端部内にはパイプ状のストッパ１１２が固着されており、ストッパ１１２に可撓性チューブ１０６の先端が突き当たることにより流体注入針１１１の突出長さが規制される。  
なお、可撓性チューブ１０６を引き込むことにより、流体注入針１１１の突出する先端をシース１０１の先端からストッパ１１２内に引き込めるようになっている。  
このように本実施例は、処置具などに対しても適用することができる。  
なお、上述した各実施例などを部分的に組み合わせる等して構成される実施例なども本発明に属する。
【００８５】
［付記］
１．筒状に構成され、一端側で開口する軸方向に細長な中央孔と、この中央孔と外部とを連通して送気及び送水のための流路を構成する複数の連通孔とを有するスイッチ本体と、
前記中央孔内に配置される、当該中央孔の内周面に密着するシール材を軸方向に所定の間隔で複数配設した、一端部が前記開口から突出するスイッチ軸と、
前記中央孔に配置された前記スイッチ軸を前記開口方向に付勢する付勢部材とを有し、
前記スイッチ軸を段階的に移動させて、前記シール材の前記中央孔との密着位置を変化させて、気体の供給、或いは気体及び液体の供給とを行う流体供給装置において、
前記中央孔内に、突出部を操作することによって、単独で移動する第１のスイッチ軸と、
前記第１のスイッチが移動した後、さらに、前記突出部を操作することによって、前記第１のスイッチ軸とともに移動する第２のスイッチ軸と、を設けたことを特徴とする流体供給装置。
【００８６】
２．前記第１のスイッチ軸を付勢する第１の付勢部材と、前記第２のスイッチ軸を付勢する第２の付勢部材とを備えることを特徴とする付記１に記載の流体供給装置。
【００８７】
３．前記突出部を操作しない無操作時において、
前記第１の付勢部材によって付勢された第１のスイッチ軸と、前記第２の付勢部材によって付勢された第２のスイッチ軸との間に所定の隙間を設けたことを特徴とする付記１に記載の流体供給装置。
【産業上の利用可能性】
【００８８】
流体を管路の先端部に供給すると共に、流体の供給停止を行うことにより、その管路の先端部から流体を引き込む場合に適用できる。
【符号の説明】
【００８９】
１…内視鏡装置、２…内視鏡、３…洗浄シース、５…挿入部、６…操作部、１１…対物レンズ、１２…マルチルーメンチューブ、１３…先端ノズル、１４…取付部、１５…送液チューブ、１６…送水チューブ、１７…噴霧スイッチ、２１…送気管路、２２…送水管路、２３…噴出ノズル部、３２…スイッチ本体、３３ａ、３３ｂ…送気口金、３４ａ、３４ｂ…送水口金、３５…空間、３６…スイッチ軸、３６ａ…押し込み部、３８ａ〜３８ｆ…シール材
【図１】
0005389465.tif 000002
【図２】
0005389465.tif 000003
【図３Ａ】
0005389465.tif 000004
【図３Ｂ】
0005389465.tif 000005
【図３Ｃ】
0005389465.tif 000006
【図４】
0005389465.tif 000007
【図５Ａ】
0005389465.tif 000008
【図５Ｂ】
0005389465.tif 000009
【図５Ｃ】
0005389465.tif 000010
【図６Ａ】
0005389465.tif 000011
【図６Ｂ】
0005389465.tif 000012
【図７】
0005389465.tif 000013
【図８Ａ】
0005389465.tif 000014
【図８Ｂ】
0005389465.tif 000015
【図８Ｃ】
0005389465.tif 000016
【図９】
0005389465.tif 000017
【図１０Ａ】
0005389465.tif 000018
【図１０Ｂ】
0005389465.tif 000019
【図１０Ｃ】
0005389465.tif 000020
【図１１】
0005389465.tif 000021
【図１２Ａ】
0005389465.tif 000022
【図１２Ｂ】
0005389465.tif 000023
【図１２Ｃ】
0005389465.tif 000024
【図１３】
0005389465.tif 000025
【図１４Ａ】
0005389465.tif 000026
【図１４Ｂ】
0005389465.tif 000027
【図１４Ｃ】
0005389465.tif 000028
【図１５】
0005389465.tif 000029
【図１６】
0005389465.tif 000030